(57)【要約】【課題】本発明は、間接照明として機能しつつ、所定の模様も表現できる間接照明装置を提供する。【解決手段】模様形成部材と、面発光パネルを有し、模様形成部材は、本体部と、本体部を厚み方向に貫通した模様形成穴１６を有し、本体部は、設置時に壁面と対向するものであり、面発光パネルは、壁面を正面視したときに大部分又は全部が模様形成穴１６と重ならないように、本体部の壁面側に取り付けられており、面発光パネルの発光面は、間隔を空けて壁面と対向しており、模様形成穴１６は、点灯時に壁面での反射光が通過する構成とする。【選択図】図７
2019197660.tif 000002
【特許請求の範囲】
【請求項１】
壁面に対向して設置される間接照明装置であって、
模様形成部材と、面発光パネルを有し、
前記模様形成部材は、本体部と、前記本体部を厚み方向に貫通した模様形成穴を有し、
前記本体部は、設置時に前記壁面と対向するものであり、
前記面発光パネルは、前記壁面を正面視したときに大部分又は全部が前記模様形成穴と重ならないように、前記本体部の前記壁面側に取り付けられており、
前記面発光パネルの発光面は、間隔を空けて前記壁面と対向しており、
前記模様形成穴は、点灯時に前記壁面での反射光が通過することを特徴とする間接照明装置。
【請求項２】
前記本体部は、複数の模様形成部を備えており、
前記模様形成部は、前記模様形成穴の側壁部を形成するものであって、かつ中空体であることを特徴とする請求項１に記載の間接照明装置。
【請求項３】
外部電源から前記面発光パネルに給電する給電配線を有し、
前記給電配線は、外部から前記模様形成部の内部空間を通過して前記面発光パネルに接続されていることを特徴とする請求項２に記載の間接照明装置。
【請求項４】
前記面発光パネルは、前記壁面を正面視したときに、前記本体部内に収まっていることを特徴とする請求項１乃至３のいずれかに記載の間接照明装置。
【請求項５】
少なくとも２つの面発光パネルを有し、
前記本体部は、模様形成部を有し、
前記模様形成部は、前記模様形成穴の側壁部を形成するものであって、かつ所定の方向に延びるものであり、
前記２つの面発光パネルは、前記模様形成部に取り付けられ、前記所定の方向に並んでいることを特徴とする請求項１乃至４のいずれかに記載の間接照明装置。
【請求項６】
前記２つの面発光パネルは、前記所定の方向に離間していることを特徴とする請求項５に記載の間接照明装置。
【請求項７】
前記面発光パネルは、長方形状であって、長辺が前記所定の方向に延びていることを特徴とする請求項５又は６に記載の間接照明装置。
【請求項８】
前記本体部は、模様形成部と支持部材を有し、
前記模様形成部は、前記模様形成穴の側壁部を形成するものであって、かつ所定の方向に延びるものであり、
前記支持部材は、前記模様形成部に対して前記壁面側にあって、前記模様形成部と立体交差しており、
前記支持部材の厚みは、前記面発光パネルの厚みよりも厚いことを特徴とする請求項１乃至７のいずれかに記載の間接照明装置。
【請求項９】
前記支持部材は、第１支持部と第２支持部を有し、
前記第１支持部と前記第２支持部は、前記本体部の広がり方向に離間又は断続して存在しており、
前記模様形成部は、前記第１支持部と前記第２支持部に跨って延びていることを特徴とする請求項８に記載の間接照明装置。
【請求項１０】
壁面に対向して設置される間接照明装置であって、
複数の模様形成部と、複数の面発光パネルを有し、
前記模様形成部は、前記壁面と対向して設けられており、
隣接する模様形成部の間には、隙間があり、
各面発光パネルは、前記壁面を正面視したときに大部分又は全部が前記隙間と重ならないように、前記模様形成部の前記壁面側に取り付けられており、
各面発光パネルの発光面は、間隔を空けて前記壁面と対向しており、
前記隙間は、点灯時に前記壁面での反射光が通過することを特徴とする間接照明装置。
【発明の詳細な説明】
【技術分野】
【０００１】
本発明は、有機ＥＬパネルや、無機ＥＬパネル、ＬＥＤを面状に敷き詰めたＬＥＤパネル等の面発光パネルを備えた間接照明装置に関する。
【背景技術】
【０００２】
従来から、天井や壁等の壁面に光を照射し、その反射光によって室内空間を照らす間接照明装置が知られている（例えば、特許文献１）。
この間接照明装置は、室内空間を直接光によって照らす直接照明装置に比べて、温かみのある柔らかい光で室内空間を照らすことができる点や室内空間内に奥行き等の立体感を与えることができる点に利点がある。
【先行技術文献】
【特許文献】
【０００３】
【特許文献１】特開２０１５−１９７９４５号公報
【発明の概要】
【発明が解決しようとする課題】
【０００４】
ところで、従来の間接照明装置は、光源が壁面を向き、壁面での反射光を照明装置の側方から放射して室内空間を照らす。すなわち、照明装置の壁面と対面する部分（以下、対面部ともいう）では、反射光が通過せず、当該対面部の室内空間側が暗くなるという問題がある。また、ＬＥＤ等の点光源を使用した間接照明装置では、点光源からほぼ全方位に放射した放射光が壁面で反射し、当該反射光で室内空間を照らすこととなる。そのため、室内空間を照らす反射光の形状は、単調となり、面白味にかけるという問題があった。
【０００５】
そこで、本発明は、間接照明として機能しつつ、所定の模様も表現できる間接照明装置を提供することを課題とする。
【課題を解決するための手段】
【０００６】
上記した課題を解決するための請求項１に記載の発明は、壁面に対向して設置される間接照明装置であって、模様形成部材と、面発光パネルを有し、前記模様形成部材は、本体部と、前記本体部を厚み方向に貫通した模様形成穴を有し、前記本体部は、設置時に前記壁面と対向するものであり、前記面発光パネルは、前記壁面を正面視したときに大部分又は全部が前記模様形成穴と重ならないように、前記本体部の前記壁面側に取り付けられており、前記面発光パネルの発光面は、間隔を空けて前記壁面と対向しており、前記模様形成穴は、点灯時に前記壁面での反射光が通過することを特徴とする間接照明装置である。
【０００７】
本発明の構成によれば、面発光パネルは、壁面に対して光を放射し、当該光の壁面での反射光が模様形成穴を通過するため、模様形成部材の壁面と対向する部分から反射光を照射することができる。また、本発明の構成によれば、壁面での反射光が模様形成穴を通過して所定の模様が表現されるため、例えば、模様形成穴の形状を所望の形状にすることで、立体感があり、点灯時に所定の形状の模様を形成できる。
【０００８】
請求項２に記載の発明は、前記本体部は、複数の模様形成部を備えており、前記模様形成部は、前記模様形成穴の側壁部を形成するものであって、かつ中空体であることを特徴とする請求項１に記載の間接照明装置である。
【０００９】
本発明の構成によれば、軽量な間接照明装置とできる。
【００１０】
請求項３に記載の発明は、外部電源から前記面発光パネルに給電する給電配線を有し、前記給電配線は、外部から前記模様形成部の内部空間を通過して前記面発光パネルに接続されていることを特徴とする請求項２に記載の間接照明装置である。
【００１１】
本発明の構成によれば、給電配線が模様形成部の内部を通過するため、模様形成部で給電配線が隠され、外部から給電配線が見えにくい。そのため、外観に優れている。
【００１２】
請求項４に記載の発明は、前記面発光パネルは、前記壁面を正面視したときに、前記本体部内に収まっていることを特徴とする請求項１乃至３のいずれかに記載の間接照明装置である。
【００１３】
本発明の構成によれば、面発光パネルは、正面視したときに、本体部によって隠されており、実質的に視認不能となっているため、より外観が優れている。また、面発光パネルが模様形成穴に重なっていないので、壁面での反射光が模様形成穴を透過する際に面発光パネルが妨げにならず、より多くの反射光を取り出せる。すなわち、光取り出し効率が高い間接照明装置として機能できる。
【００１４】
請求項５に記載の発明は、少なくとも２つの面発光パネルを有し、前記本体部は、模様形成部を有し、前記模様形成部は、前記模様形成穴の側壁部を形成するものであって、かつ所定の方向に延びるものであり、前記２つの面発光パネルは、前記模様形成部に取り付けられ、前記所定の方向に並んでいることを特徴とする請求項１乃至４のいずれかに記載の間接照明装置である。
【００１５】
本発明の構成によれば、複数の面発光パネルが一つの模様形成部に並んで取り付けられるため、より多くの光量を取り出すことができる。
【００１６】
請求項６に記載の発明は、前記２つの面発光パネルは、前記所定の方向に離間していることを特徴とする請求項５に記載の間接照明装置である。
【００１７】
本発明の構成によれば、各面発光パネルで個別に分離した模様を形成できるので、複雑かつ趣のある模様を表現できる。
【００１８】
請求項７に記載の発明は、前記面発光パネルは、長方形状であって、長辺が前記所定の方向に延びていることを特徴とする請求項５又は６に記載の間接照明装置である。
【００１９】
本発明の構成によれば、所定の方向に帯状に延びた模様を形成できる。
【００２０】
請求項８に記載の発明は、前記本体部は、模様形成部と支持部材を有し、前記模様形成部は、前記模様形成穴の側壁部を形成するものであって、かつ所定の方向に延びるものであり、前記支持部材は、前記模様形成部に対して前記壁面側にあって、前記模様形成部と立体交差しており、前記支持部材の厚みは、前記面発光パネルの厚みよりも厚いことを特徴とする請求項１乃至７のいずれかに記載の間接照明装置である。
【００２１】
本発明の構成によれば、面発光パネルの厚みが支持部材の厚み内で収まるので、面発光パネルの厚みによって間接照明装置全体の厚みが厚くならない。そのため、間接照明装置全体の厚みを薄くできる。
【００２２】
請求項９に記載の発明は、前記支持部材は、第１支持部と第２支持部を有し、前記第１支持部と前記第２支持部は、前記本体部の広がり方向に離間又は断続して存在しており、前記模様形成部は、前記第１支持部と前記第２支持部に跨って延びていることを特徴とする請求項８に記載の間接照明装置である。
【００２３】
本発明の構成によれば、少なくとも二つの支持部に跨って模様形成部が延びているため、模様形成部が歪にくい。
【００２４】
請求項１０に記載の発明は、壁面に対向して設置される間接照明装置であって、複数の模様形成部と、複数の面発光パネルを有し、前記模様形成部は、前記壁面と対向して設けられており、隣接する模様形成部の間には、隙間があり、各面発光パネルは、前記壁面を正面視したときに大部分又は全部が前記隙間と重ならないように、前記模様形成部の前記壁面側に取り付けられており、各面発光パネルの発光面は、間隔を空けて前記壁面と対向しており、前記隙間は、点灯時に前記壁面での反射光が通過することを特徴とする間接照明装置である。
【００２５】
本発明の構成によれば、面発光パネルは、壁面に対して光を放射し、当該光の壁面での反射光が隣接する模様形成部の隙間を通過するため、立体感があり、点灯時に、隣接する模様形成部の隙間に沿った所定の形状の模様を形成できる。また、本発明の構成によれば、壁面での反射光が隣接する模様形成部の隙間を通過して所定の模様が表現されるため、例えば、面発光パネル間で輝度に差を持たせたり、面発光パネル間の間隔を空けたりすることで、点灯時により趣がある陰影グラデーションを含む模様を形成できる。
【発明の効果】
【００２６】
本発明の照明装置によれば、間接照明として機能しつつ、所定の模様も表現できる。
【図面の簡単な説明】
【００２７】
【図１】本発明の第１実施形態のインテリア構造を模式的に示した斜視図である。
【図２】図１の照明装置の斜視図である。
【図３】図２の照明装置の分解斜視図である。
【図４】図３の模様形成部材の分解斜視図である。
【図５】図２の照明装置を裏面側から視た斜視図である。
【図６】図２の照明装置の要部の一部破断斜視図である。
【図７】図２の照明装置の説明図であり、（ａ）は消灯時の正面図であり、（ｂ）は点灯時の正面図である。
【図８】図２の照明装置の断面図であり、照明装置における光の光路を矢印で表している。
【図９】本発明の第２実施形態のインテリア構造を模式的に示した斜視図である。
【図１０】図９の照明装置の分解斜視図である。
【図１１】図９の照明装置を裏面側から視た斜視図である。
【図１２】本発明の他の実施形態の照明装置の斜視図であり、（ａ）は模様形成部が傾斜する実施形態の斜視図であり、（ｂ）は模様形成部の断面の外郭形状が三角形状の実施形態の斜視図である。
【図１３】本発明の他の実施形態の照明装置の斜視図である。
【図１４】本発明の他の実施形態の照明装置の斜視図である。
【発明を実施するための形態】
【００２８】
以下、本発明の実施形態について詳細に説明する。
【００２９】
本発明の第１実施形態のインテリア構造１は、図１，図２のように、室内空間２を構成する壁等の壁面１００に対向するように、図示しない固定部材によって間接照明装置３（以下、単に照明装置３ともいう）が設置されたものである。
照明装置３は、壁面１００での反射光を利用して室内空間２を照らすコーニス照明として機能するものである。照明装置３は、図３のように、主要構成部材として、模様形成部材１０と、複数の面発光パネル１１と、給電配線１２を備えている。
【００３０】
模様形成部材１０は、図３のように、本体部１５と、模様形成穴１６を有している。
本体部１５は、全体として平板状の板状部位であり、図４のように、複数の模様形成部１７と、支持部材１８で構成されている。
模様形成部１７は、所定の方向に延びた管状部位であり、内部空間１９を有した中空体である。
本実施形態の模様形成部１７は、図４のように、断面形状が四角環状の筒状体であり、正面側壁部２０と、裏面側壁部２１と、側面側壁部２２，２３で構成されている。
【００３１】
正面側壁部２０は、模様形成部１７の正面を構成する壁部であり、横方向Ｘに幅をもち、縦方向Ｙに延びている。
裏面側壁部２１は、内部空間１９を挟んで正面側壁部２０と対向する対向壁部であり、模様形成部１７の裏面を構成する壁部である。裏面側壁部２１は、横方向Ｘに幅をもち、縦方向Ｙに延びている。
裏面側壁部２１は、図６のように、各面発光パネル１１と対応する位置に給電配線１２を挿通可能な給電孔２５を備えている。
給電孔２５は、裏面側壁部２１を厚み方向に貫通する貫通孔であって、内部空間１９と連通した連通孔である。給電孔２５は、給電配線１２の中間部を通過させることが可能となっている。
【００３２】
側面側壁部２２，２３は、図４の拡大図のように、正面側壁部２０と裏面側壁部２１の横方向Ｘの両端部から折れ曲がり、正面側壁部２０と裏面側壁部２１の横方向Ｘの両端部間を接続する接続壁部である。
側面側壁部２２，２３は、正面側壁部２０及び裏面側壁部２１とともに、模様形成部１７の内部空間１９を構成する囲繞壁部である。
本実施形態の模様形成部１７は、図４の拡大図のように、一対の壁面形成部材２６，２７から構成されている。
壁面形成部材２６，２７は、ともに断面形状が「コ」字状をしており、内部空間１９を囲むように設けられている。すなわち、第１壁面形成部材２６は、正面側壁部２０と、正面側壁部２０の横方向Ｘの両端部から裏面側に向かって折れ曲がった側面壁部３０，３１で構成されている。第２壁面形成部材２７は、裏面側壁部２１と、裏面側壁部２１の横方向Ｘの両端部から正面側に向かって折れ曲がった側面壁部３２，３３で構成されている。そして、第１壁面形成部材２６の側面壁部３０，３１と第２壁面形成部材２７の側面壁部３２，３３は、内部空間１９を基準として内外に重なっている。
【００３３】
また、模様形成部１７には、図５のように、面発光パネル１１が取り付けられたパネル付き模様形成部１７ａと、面発光パネル１１が取り付けられていないパネル無し模様形成部１７ｂがある。
【００３４】
支持部材１８は、図４のように、各模様形成部１７の裏面側壁部２１と接着されて支持する部材であり、正面視したときに四角環状の枠部材である。
支持部材１８は、一対の支持部４０，４１と、支持部４０，４１間を接続する接続部４２，４３で構成され、中央に開口を備えている。
支持部４０，４１は、各模様形成部１７を支持する部位であり、横方向Ｘに棒状又は板状に延びた長尺体である。支持部４０，４１は、縦方向Ｙに間隔を空けて並べられ、ともに横方向Ｘ（同一方向）に延びて平行となっている。
接続部４２，４３は、第１支持部４０と第２支持部４１を接続し、第１支持部４０と第２支持部４１を所定の間隔になるように維持する部位である。接続部４２，４３は、縦方向Ｙに棒状又は板状に延びた長尺体である。
【００３５】
模様形成穴１６は、図２，図７のように、各模様形成部１７が内側壁を構成し、本体部１５を厚み方向に貫通した貫通孔であって、縦方向Ｙに直線状に延びた貫通溝でもある。
別の観点から視ると、模様形成穴１６は、横方向Ｘに隣接する模様形成部１７，１７の側面側壁部２２，２３によって構成される隙間である。
【００３６】
面発光パネル１１は、図５のように、面状に広がりをもった板状パネルであり、点灯時に発光領域５０から面状の拡散光が照射される面状光源である。
面発光パネル１１は、具体的には、四角形状の有機ＥＬパネルであり、一方の主面が図５に示される発光面５１を構成し、他方の主面が図３に示される取付面５２を構成するものである。本実施形態の面発光パネル１１は、長方形状の有機ＥＬパネルであり、図５のように長辺が縦方向Ｙに延びている。
【００３７】
発光面５１は、図５に示される点灯時に発光する発光領域５０を含む面であり、図８のように、設置時に壁面１００と対面する面である。
取付面５２は、発光面５１の反対面であって模様形成部１７の裏面側壁部２１に取り付けられる面である。また、取付面５２は、図３のように、給電配線１２と接続可能な給電部５３を備えた給電面でもあり、給電部５３を給電配線１２と接続することで、外部から給電可能となっている。
【００３８】
給電配線１２は、図示しない外部電源と電気的に接続された配線であり、各面発光パネル１１に給電する配線である。
【００３９】
続いて、第１実施形態のインテリア構造１の各部材の位置関係について説明する。
【００４０】
インテリア構造１は、図８のように、照明装置３の支持部材１８の裏面が壁面１００と面接触しており、各面発光パネル１１の発光面５１が壁面１００と間隔を空けて対面している。すなわち、壁面１００と各面発光パネル１１の発光面５１との間には、隙間６０がある。
支持部材１８は、図４のように模様形成部材１０の裏面側に接続されており、支持部４０，４１が各模様形成部１７の縦方向Ｙの端部近傍を保持している。
各面発光パネル１１は、図５のように、正面視したときに支持部材１８の内側に配されており、模様形成部材１０に対して千鳥配置となるように取り付けられている。
【００４１】
各模様形成部１７は、図５のように、裏面側壁部２１が支持部４０，４１に跨るように支持部４０，４１に載置されており、支持部４０，４１と立体交差している。すなわち、各模様形成部１７は、正面視したときに支持部４０，４１と重なり部分があり、壁面１００に対して離間している。
【００４２】
各パネル付き模様形成部１７ａは、図５のように、一又は複数の面発光パネル１１が長手方向（縦方向Ｙ）に並設して取り付けられている。複数の面発光パネル１１が取り付けられたパネル付き模様形成部１７ａでは、面発光パネル１１が縦方向Ｙにおいて所定の間隔を空けて配されている。
【００４３】
横方向Ｘにおいて隣接するパネル付き模様形成部１７ａ，１７ａに取り付けられた面発光パネル１１は、縦方向Ｙにずれた位置となっている。また、横方向Ｘにおいてパネル付き模様形成部１７ａ，１７ａを一つ挟んで隣接するパネル付き模様形成部１７ａ，１７ａに取り付けられた面発光パネル１１は、縦方向Ｙにおいて同位置となっている。
縦方向Ｙに隣接する面発光パネル１１，１１の間隔は、１ｃｍ以上１００ｃｍ以下であることが好ましい。
この範囲であれば、奥行き感を持たせつつ、正面視したときの面発光パネル１１，１１間に適度な明暗のコントラスト模様を形成できる。
【００４４】
給電配線１２は、図３から読み取れるように、一方の端部が面発光パネル１１の取付面５２に設けられた給電部５３に接続されており、残部が図６のように給電孔２５を通過し、内部空間１９内で縦方向Ｙに延びている。
【００４５】
続いて、インテリア構造１の点灯時における照明装置３の状態について説明する。
【００４６】
点灯時の照明装置３は、図８のように、面発光パネル１１の発光面５１から壁面１００に向かって光が放射され、壁面１００での反射光が模様形成穴１６を通過して発光投影領域６５を構成している。
すなわち、点灯時の照明装置３は、図７（ｂ）のように、模様形成部１７の室内空間２側の面に複数の模様形成部１７に跨って複数の発光投影領域６５が形成されている。
発光投影領域６５は、図８のように、パネル付き模様形成部１７ａに設けられた面発光パネル１１からの反射光が投影された領域であり、図７（ｂ）のように、正面視したときに各面発光パネル１１を中心に広がって光を放射する発光放射領域である。発光投影領域６５は、模様形成穴１６の開口に沿った形状の複数の短冊領域６５ａが集まって形成されている。
発光投影領域６５は、隣接するパネル無し模様形成部１７ｂを超えて形成されており、隣接するパネル付き模様形成部１７ａとパネル無し模様形成部１７ｂの間の模様形成穴１６ａや隣接するパネル付き模様形成部１７ａと支持部材１８の接続部４２，４３の間の模様形成穴１６ｃだけではなく、当該模様形成穴１６ａに隣接するパネル無し模様形成部１７ｂ，１７ｂ間の模様形成穴１６ｂにも至っている。
【００４７】
各発光投影領域６５は、図７（ｂ）のように面状に広がりをもち、それぞれが間隔を空けて分布され、千鳥配置となっている。すなわち、横方向Ｘに隣接する発光投影領域６５，６５の間には、壁面１００での反射光が実質的に投影されない非投影領域６６があり、縦方向Ｙに隣接する発光投影領域６５，６５の間にも、壁面１００での反射光が実質的に投影されない非投影領域６６がある。そのため、照明装置３は、点灯時に隣接する発光投影領域６５と非投影領域６６の間に陰影グラデーションが形成されている。
【００４８】
本実施形態の照明装置３によれば、図８のように、面発光パネル１１の発光面５１が壁面１００と対向し、壁面１００での反射光が模様形成穴１６を通過して発光投影領域６５を構成するため、模様形成穴１６の縁に沿った形状の発光投影領域６５を形成できる。
【００４９】
本実施形態の照明装置３によれば、図５のように、一のパネル付き模様形成部１７ａにおいて、その長手方向に複数の面発光パネル１１が間隔を空けて配されているので、点灯時にパネル付き模様形成部１７ａに沿って、発光投影領域６５と非投影領域６６が交互に形成される。すなわち、パネル付き模様形成部１７ａの長手方向に沿って、反射光が密となる部分（明領域）となる部分と、疎となる部分（暗領域）ができ、明領域から暗領域にかけて明暗のグラデーションが生じる。そのため、点灯時に陰影グラデーションを含んだ模様が形成され、趣のある空間を表現できる。
【００５０】
本実施形態の照明装置３によれば、図７のように、正面視したときに、パネル付き模様形成部１７ａが面発光パネル１１と重なり、パネル付き模様形成部１７ａで面発光パネル１１が隠されている。そのため、面発光パネル１１が模様形成穴１６から露出せず、意匠性が高い。
【００５１】
本実施形態の照明装置３によれば、図５のように、模様形成部１７と支持部材１８が立体的に交差する。そのため、全体として平板状で薄いにもかかわらず、奥行等に立体感を与えることができる。
【００５２】
本実施形態の照明装置３によれば、模様形成部１７が中空体であるので、軽量な間接照明装置とでき、室内空間２の壁面１００に軽負荷で設置可能である。
【００５３】
続いて、第２実施形態のインテリア構造について説明する。なお、第１実施形態のインテリア構造１と同様の構成は、同様の付番をして説明を省略する。以下、同様とする。
【００５４】
第２実施形態のインテリア構造の照明装置２０３は、主要構成部材として、模様形成部材２１０と、複数の面発光パネル１１と、給電配線１２を備えている。
模様形成部材２１０は、図９のように、本体部２１５と、模様形成穴１６を有している。
本体部２１５は、図１０のように、複数の模様形成部１７と、支持部材２１８で構成されている。
支持部材２１８は、図１１のように、一対の支持部２４０，２４１で構成されている。
第１支持部２４０及び第２支持部２４１は、各模様形成部１７を支持する部位であり、横方向Ｘに棒状又は板状に延びた長尺体である。
【００５５】
続いて、第２実施形態のインテリア構造の各部材の位置関係について説明する。
【００５６】
第２実施形態のインテリア構造は、図９のように、第１実施形態のインテリア構造１と同様、各面発光パネル１１の発光面５１が壁面１００と間隔を空けて対面しており、壁面１００と各面発光パネル１１の発光面５１との間に隙間６０がある。
支持部２４０，２４１は、図１１のように、縦方向Ｙに間隔を空けて配されており、各模様形成部１７は、縦方向Ｙにずれた状態で支持部２４０，２４１に接続されている。すなわち、隣接する模様形成部１７，１７は、長手方向の端部の位置が縦方向Ｙにずれており、端面間に段差がある。また、模様形成部１７を一つ挟んで隣接する模様形成部１７，１７は、長手方向の端部の位置が縦方向Ｙに同じ位置にある。
支持部２４０，２４１は、図１１に示される縦方向Ｘに断続的に存在することができ、支持部２４０，２４１のそれぞれが模様形成部１７を個別に支持することも可能である。
各パネル付き模様形成部１７ａには、その長手方向に３つの面発光パネル１１ａ〜１１ｃが取り付けられている。３つの面発光パネル１１ａ〜１１ｃのうち、２つの面発光パネル１１ａ，１１ｂは、支持部２４０，２４１の間にあり、残りの面発光パネル１１ｃは、支持部２４０，２４１の外側にある。
【００５７】
第２実施形態の照明装置２０３によれば、図１１のように、縦方向Ｙにおいて模様形成部１７の端部がずれているので、消灯時でも使用者に動的な心証を与えることができる。
【００５８】
上記した実施形態では、照明装置３を壁面１００での反射光を使用するコーニス照明として使用する場合について説明したが、本発明はこれに限定されるものではない。照明装置３の面発光パネル１１の発光面５１を図１に示される天井面１０１に対向させて、照明装置３を天井面１０１での反射光を使用するコーブ照明等の他の間接照明として使用してもよい。
【００５９】
上記した実施形態では、模様形成部１７は、縦方向Ｙに直線状に延びていたが、本発明はこれに限定されるものではない。模様形成部１７の延びる方向は特に限定されない。例えば、模様形成部１７は、横方向Ｘに延びていてもよいし、図１２（ａ）のように斜め方向に延びていてもよい。
【００６０】
上記した実施形態では、模様形成部１７の断面の外郭形状が四角形状であったが、本発明はこれに限定されるものではない。模様形成部１７の断面の外郭形状は特に限定されない。模様形成部１７の断面の外郭形状は図１２（ｂ）のような三角形状であってもよいし、五角形状や六角形状等であってもよい。すなわち、模様形成部１７の断面の外郭形状は多角形状であってもよい。また、模様形成部１７の断面の外郭形状は、円形状や楕円状であってもよい。この場合に使用する面発光パネル１１は、厚み方向に変形可能な面発光パネルであることが好ましい。
【００６１】
上記した実施形態では、模様形成部１７の壁面１００側の面に面発光パネル１１が取り付けられていたが、本発明はこれに限定されるものではない。図１３のように面発光パネル１１は、模様形成部１７に埋め込まれていてもよい。この場合、面発光パネル１１の発光面５１と模様形成部１７の壁面１００側の面が面一となることが好ましい。
【００６２】
上記した実施形態では、各面発光パネル１１は、正面視したときに全部が模様形成穴１６ａと重ならず、模様形成穴１６ａから露出しないが、本発明はこれに限定されるものではない。各面発光パネル１１は、模様形成穴１６ａと重なって模様形成穴１６ａからわずかに露出していてもよい。すなわち、各面発光パネル１１は、模様形成穴１６ａと大部分が重ならなければよい。
【００６３】
上記した実施形態では、模様形成部材１０は、複数の模様形成部１７間の隙間で模様形成穴１６を形成し、当該模様形成穴１６で所定の模様を形成していたが、本発明はこれに限定されるものではない。図１４のように、一又は複数の板状の模様形成部１７に所定の形状の模様形成穴１６を設けることで所定の模様を形成していてもよい。
【００６４】
上記した実施形態では、給電配線１２の中間部をパネル付き模様形成部１７ａの給電孔２５に通過させて給電配線１２をパネル付き模様形成部１７ａの内部空間１９に挿入していたが、本発明はこれに限定されるものではない。パネル付き模様形成部１７ａに給電用の切り欠きを設け、当該切り欠きに給電配線１２の中間部を通過させて内部空間１９に給電配線１２を挿入してもよい。
【符号の説明】
【００６５】
２  室内空間
３，２０３  間接照明装置
１０，２１０  模様形成部材
１１，１１ａ〜１１ｃ  面発光パネル
１２  給電配線
１５，２１５  本体部
１６，１６ａ，１６ｂ  模様形成穴
１７  模様形成部
１７ａ  パネル付き模様形成部
１７ｂ  パネル無し模様形成部
１８，２１８  支持部材
１９  内部空間
２２，２３  側面側壁部
２５  給電孔
４０，２４０  第１支持部
４１，２４１  第２支持部
５０  発光領域
５１  発光面
５２  取付面
５３  給電部
６０  隙間
１００  壁面
【図１】
2019197660.tif 000003
【図２】
2019197660.tif 000004
【図３】
2019197660.tif 000005
【図４】
2019197660.tif 000006
【図５】
2019197660.tif 000007
【図６】
2019197660.tif 000008
【図７】
2019197660.tif 000009
【図８】
2019197660.tif 000010
【図９】
2019197660.tif 000011
【図１０】
2019197660.tif 000012
【図１１】
2019197660.tif 000013
【図１２】
2019197660.tif 000014
【図１３】
2019197660.tif 000015
【図１４】
2019197660.tif 000016